(57)【要約】  【課題】  フランジ部の撓みや折れ曲がりを防止するとともに、分離線によるフランジ部の分離を容易に行うことのできる小分け容器を提供する。  【解決手段】  カップ状に形成された２個の収容部１と、これら収容部の上部開口周縁を連結するフランジ部３と、フランジ部３に形成され両収容部１を分離するための分離線７とを備えた小分け容器であって、フランジ部３には、収容部１の開口周縁に沿って並び、分離線７と交差する複数の凹部５が形成されており、分離線７は、収容部１の開口周縁に沿ってフランジ部３を分断する分断部７１と、この分断部７１によって分断されたフランジ部３を繋ぎ止める複数の接続部７２とで構成され、分離線７において凹部５を通過する部分は切断部７１で構成されている。【選択図】  図２
2005212890.tif 000002
【特許請求の範囲】
【請求項１】
カップ状に形成された複数の収容部と、これら収容部の上部開口周縁を連結するフランジ部と、当該フランジ部に形成され前記収容部を分離するための分離線とを備えた小分け容器であって、
前記フランジ部には、前記収容部の開口周縁に沿って並び、前記分離線と交差する複数の凹部又は凸部が形成されており、
前記分離線は、前記収容部の開口周縁に沿って前記フランジ部を分断する分断部と、当該分断部によって分断されたフランジ部を繋ぎ止める複数の接続部とで構成され、前記分離線において前記凹部又は凸部を通過する部分は前記切断部によって構成されている、小分け容器。
【請求項２】
前記凹部又は凸部は、隣接する収容部間で前記フランジ部の全幅に亘って形成されている、請求項１に記載の小分け容器。
【請求項３】
前記フランジ部には、前記凹部及び凸部が交互に並んでいる、請求項１または２に記載の小分け容器。
【発明の詳細な説明】
【技術分野】
【０００１】
本発明は、カップ状に形成された複数の収容部と、これら収容部の上部開口周縁を連結するフランジ部と、当該フランジ部に形成され前記収容部を分離するための分離線とを備えた小分け容器に関する。
【背景技術】
【０００２】
この種の小分け容器は、冷凍食品、お菓子等を個別に収容するためのものであり、例えば特許文献１及び特許文献２に示すものがある。これらの容器では、隣接する収容部を結ぶ平坦なフランジ部上に、分離線が形成されている。この分離線は、隣接する収容部を分断する切断部と、この切断部を複数箇所で繋ぐ接続部とで構成されるものであり、このような分離線によって隣接する収容部同士の分離を容易にしている。
【特許文献１】実開昭６３−１２８９１５号公報
【特許文献２】実開平２−１０２３１９号公報
【発明の開示】
【発明が解決しようとする課題】
【０００３】
ところが、上記のような容器では、分離線に沿ってフランジ部が撓んだり、折れ曲がることがあり、食品等の収容物の運搬中にフランジ部が折れ曲がると、容器のみならず、収容物が損傷するおそれがあった。また、消費者が容器の取り扱う際にも、隣接する収容部の一方を持ち上げると、フランジ部が撓んで他方の収容部に配置された収容物が落下するおそれがあった。
【０００４】
これを解決するために、分離線における接続部の数を多くすることも考えられるが、このようにすると、収容部を切り離しにくくなるという問題がある。
【０００５】
本発明は、上記問題を解決するためになされたものであり、フランジ部の撓みや折れ曲がりを防止するとともに、分離線によるフランジ部の分離を容易に行うことのできる小分け容器を提供することを目的とする。
【課題を解決するための手段】
【０００６】
本発明は、上記問題を解決するためになされたものであり、カップ状に形成された複数の収容部と、これら収容部の上部開口周縁を連結するフランジ部と、当該フランジ部に形成され前記収容部を分離するための分離線とを備えた小分け容器であって、前記フランジ部には、前記収容部の開口周縁に沿って並び、前記分離線と交差する複数の凹部又は凸部が形成されており、前記分離線は、前記収容部の開口周縁に沿って前記フランジを分断する分断部と、当該分断部によって分断されたフランジ部を繋ぎ止める複数の接続部で構成され、前記分離線において前記凹部又は凸部を通過する部分は前記切断部で構成されている。
【０００７】
この構成によれば、フランジ部上で分離線が通過する位置に、複数の凹部又は凸部が形成されているため、これら凹部又は凸部によってフランジ部が撓んだり折れ曲がったりするのが妨げられる。例えば、凹部を形成すれば、フランジ部が下方への撓む際に、分離線が通過する凹部の断面同士が当接して撓みに抗するため、撓みを防止することができる。一方、凸部を形成すれば、同様にして上方への撓みを防止することができる。その結果、運搬中の収容物の損傷や落下を防止することができる。さらに、分離線のうち、切断部を繋ぎ止める接続部は、凹部又は凸部には形成されておらず、それ以外のフランジ部にのみ形成されている。これにより、分離線全体に占める接続部の割合が小さくなるため、収容部の切り離しを容易に行うことができる。
【０００８】
上記小分けトレーにおいて、凹部又は凸部は、隣接する収容部間でフランジ部の全幅に亘って形成されていることが好ましい。こうすることで、フランジ部の曲げ強度を向上することができ、フランジ部の撓みや折れ曲がりをさらに防止することができる。
【０００９】
なお、上記フランジ部には、凹部のみ、又は凸部のみを設けることができるほか、凹部及び凸部が交互に並ぶようにすることができる。このようにすると、フランジ部が上方及び下方の両方へ撓むのを防止することができる。
【発明の効果】
【００１０】
本発明の小分け容器によれば、フランジ部の撓みや折れ曲がりを防止するとともに、分離線によるフランジ部の分離を容易に行うことのできる。
【発明を実施するための最良の形態】
【００１１】
以下、本発明に係る小分け容器の一実施形態について図面を参照しつつ説明する。図１は、本実施形態に係る医療用複室容器の斜視図である。
【００１２】
図１に示すように、この小分け容器は、プラスチックによって形成され、食品等の収容物を収容する２個の収容部１を有している。各収容部１は平面視矩形のカップ状に形成され、その上部開口の周縁にフランジ部３が形成されている。そして、このフランジ部３を介して両収容部１は連結されている。なお、この容器は、後述するように、切り離し可能なプラスチック材料、例えばポリエチレン、ポリプロピレン等によって形成することができる。
【００１３】
図２は、図１のフランジ部を拡大した斜視図である。同図に示すように、両周容部１を連結するフランジ部３には、収容部１の開口周縁に沿って所定間隔ごとに並ぶ複数の凹部５が形成されている。この凹部５は、断面矩形状に形成され、フランジ部３の全幅（収容部の並ぶ方向）に亘って、両収容部１を連結するように形成されている。また、両収容部１を連結するフランジ部３には、これら収容部１を分離するための分離線７が形成されている。分離線７は、収容部１の開口周縁と平行に上記凹部５を通過するように形成されており、フランジ部３を分断する分断部（切り込み）７１と、この分断部７１によって分断されたフランジ部３を繋ぎ止める複数の接続部７２とで構成されている。また、分離線７における接続部７２は、凹部５を通過する位置には形成されておらず、各凹部５の間の平坦部３１に少なくとも１つ以上形成されている。
【００１４】
このような小分け容器は、食品を収容した２個の収容部１を連結した状態で使用することもできるし、分離線７に沿って両収容部１を切り離した状態で使用することもできる。
【００１５】
以上のように、本実施形態によれば、フランジ部３上で分離線７が通過する位置に、複数の凹部５が形成されているため、これら凹部５によってフランジ部３が下方へ撓んだり折れ曲がったりするのが妨げられる。例えば、両収容部１に食品を収容した状態で一方の収容部１を持ち上げた場合、フランジ部３には他方の収容部１が下方に傾斜する方向に曲げモーメントが作用するが、このとき、フランジ部３では、図３に示すように、分離線７と平行な凹部５の断面同士が当接して曲げモーメントＸに対して抗するため、フランジ部３の曲げが規制され、収容部１が撓んで下方へ傾斜するのを防止することができる。したがって、収容部１の傾斜によって食品が落下する等の事故を防止することができる。
【００１６】
特に、上記のように、フランジ部３の全幅に亘って凹部を形成すると、分離線７と垂直な方向に延びるように凹部５が形成されるため、フランジ部３の曲げ強度が向上し、その撓みをより確実に防止することができる。
【００１７】
図４は、一方の収容部１を上方に折り曲げた様子を示す図であるが、同図に示すように、凹部５を通過する分離線には、接続部７２が形成されておらず、上記平坦部３１にのみ形成されている。このように、分離線７全体に占める接続部７２の割合が少ないため、収容部１の切り離しを容易に行うことができる。
【００１８】
以上、本発明の一実施形態について説明したが、本発明はこれに限定されるものではなく、その趣旨を逸脱しない限りにおいて種々の変更が可能である。例えば、上記実施形態では、フランジ部３に凹部５を形成しているが、凸部を形成してもよい。このように凸部を形成するとフランジ部の上方への撓みや折れ曲がりを防止することができる。また、図５に示すように、凹部５と凸部６とが交互に並ぶように形成してもよい。このようにすると、フランジ部３の上方及び下方の両方に対する撓みや折れ曲がりを防止することができる。
【００１９】
また、凹部５又は凸部６の断面形状（収容部側から見たときの断面）は、上記のような矩形状に限定されるものではなく、種々の形状が可能である。例えば、図６に示すように、半円形状（図６（ａ））、断面台形状（図６（ｂ））、Ｖ字形状（図６（ｃ））等に形成することができる。なお、このことは、図６（ｄ）〜（ｅ）に示すように、フランジ部に凸部を形成した場合も同様である。
【００２０】
さらに、上記実施形態では、フランジ部３の全幅に亘って凹部５又は凸部を形成しているが、フランジ部３の幅方向の一部に形成することもできる。例えば、図７に示すように、半球面状の凸部６をフランジ部３の幅方向の一部に形成することもできる。このとき、上記実施形態と同様に、この凸部６を通過する分離線７には接続部が形成されておらず、平坦部３１にのみ接続部７２が形成されている。なお、凸部でなく、半球面状の凹部を形成することもできる。また、半球面状に限らず、矩形状の凹部や凸部を形成することもできる。
【００２１】
なお、上記実施形態では、上記のように２つの収容部を連結しているが、これに限定されるものではなく、３つ以上の収容部を連結してもよく、これら収容部の間のフランジ部に上記のような凹部又は凸部と、分離線とが形成されていればよい。
【図面の簡単な説明】
【００２２】
【図１】本発明に係る小分け容器の一実施形態を示す斜視図である。
【図２】図１の一部拡大図である。
【図３】図１の一部断面図である。
【図４】図１の小分け容器を折り曲げた様子を示す図である。
【図５】本発明に係る小分け容器の他の例の一部を示す斜視図である。
【図６】本発明に係る凹部及び凸部の他の例を示す断面図である。
【図７】本発明に係る小分け容器の他の例の一部を示す斜視図である。
【符号の説明】
【００２３】
１  収容部
３  フランジ部
５  凹部
７  分離線
７１  分断部
７２  接続部
【図１】
2005212890.tif 000003
【図２】
2005212890.tif 000004
【図３】
2005212890.tif 000005
【図４】
2005212890.tif 000006
【図５】
2005212890.tif 000007
【図６】
2005212890.tif 000008
【図７】
2005212890.tif 000009